【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
撮像手段により撮像された画像の所定の領域に存在する人数をカウントする領域人数カウントの人数カウント結果と、前記撮像手段により撮像された画像に設定された所定のラインを通過する人数をカウントする通過人数カウントの人数カウント結果とを取得する取得手段と、
前記取得手段により取得された前記領域人数カウントの人数カウント結果に基づき、前記領域人数カウントによる時間帯ごとの複数の人数カウント結果を表示手段に表示させ、前記取得手段により取得された前記通過人数カウントの人数カウント結果に基づき、前記通過人数カウントによる時間帯ごとの複数の人数カウント結果を前記表示手段に表示させる表示制御手段と、を有し、
前記表示制御手段は、前記領域人数カウントによる時間帯ごとの複数の人数カウント結果から選択された人数カウント結果に対応する時間帯に前記撮像手段によって撮像された静止画を前記表示手段に表示させ、前記通過人数カウントによる時間帯ごとの複数の人数カウント結果から選択された人数カウント結果に対応する時間帯に前記撮像手段によって撮像された動画を前記表示手段に再生させることを特徴とする情報処理装置。
【請求項２】
前記表示制御手段は、
前記取得手段により取得された前記領域人数カウントの人数カウント結果に基づき、前記所定の領域に存在する平均の人数、最大人数、最小人数、またはそれらの組み合わせの人数を前記時間帯ごとにグラフ化して前記表示手段に表示させることを特徴とする請求項１に記載の情報処理装置。
【請求項３】
前記表示制御手段は、
前記取得手段により取得された前記通過人数カウントの人数カウント結果に基づき、前記所定のラインを所定の方向および当該所定の方向と逆方向に通過する時間帯ごとの人数をグラフ化して前記表示手段に表示させることを特徴とする請求項１または２に記載の情報処理装置。
【請求項４】
前記表示制御手段は、
前記領域人数カウントによる時間帯ごとの複数の人数カウント結果から１つの人数カウント結果がユーザにより選択されたことに応じて、前記選択された人数カウント結果に対応する時間帯において撮像された前記静止画からカウントされた人数を示す情報と、当該静止画から検知された人物の位置を示す情報とを、重畳した前記静止画を前記表示手段に表示させることを特徴とする請求項１乃至３のいずれか１項に記載の情報処理装置。
【請求項５】
前記表示制御手段は、
前記通過人数カウントによる時間帯ごとの複数の人数カウント結果から１つの人数カウント結果がユーザにより選択されたことに応じて、前記選択された人数カウント結果に対応する時間帯において撮像された前記動画から前記通過人数カウントによりカウントされた人数を示す情報と、前記動画から検知された人物の位置を示す情報と、前記所定のラインを示す情報とを、重畳した前記動画を前記表示手段に表示させることを特徴とする請求項１乃至４のいずれか１項に記載の情報処理装置。
【請求項６】
前記表示制御手段は、
前記領域人数カウントによる時間帯ごとの複数の人数カウント結果から選択された人数カウント結果に対応する時間帯に前記撮像手段によって撮像された複数の静止画のうち１つの静止画を前記表示手段に表示させることを特徴とする請求項１乃至５のいずれか１項に記載の情報処理装置。
【請求項７】
前記表示制御手段は、
前記領域人数カウントによる時間帯ごとの複数の人数カウント結果から選択された人数カウント結果に対応する時間帯に前記撮像手段によって撮像された複数の静止画のうち最も早く撮像された静止画を前記表示手段に表示させることを特徴とする請求項６に記載の情報処理装置。
【請求項８】
撮像手段により撮像された画像の所定の領域に存在する人数をカウントする領域人数カウントの人数カウント結果と、前記撮像手段により撮像された画像に設定された所定のラインを通過する人数をカウントする通過人数カウントの人数カウント結果とを取得する取得工程と、
前記取得工程において取得された前記領域人数カウントの人数カウント結果に基づき、前記領域人数カウントによる時間帯ごとの複数の人数カウント結果を表示手段に表示させる第一表示制御工程と、
前記取得工程において取得された前記通過人数カウントの人数カウント結果に基づき、前記通過人数カウントによる時間帯ごとの複数の人数カウント結果を前記表示手段に表示させる第二表示制御工程と、
前記領域人数カウントによる時間帯ごとの複数の人数カウント結果から選択された人数カウント結果に対応する時間帯に前記撮像手段によって撮像された静止画を前記表示手段に表示させる第三表示制御工程と、
前記通過人数カウントによる時間帯ごとの複数の人数カウント結果から選択された人数カウント結果に対応する時間帯に前記撮像手段によって撮像された動画を前記表示手段に再生させる第四表示制御工程とを有することを特徴とする情報処理方法。
【請求項９】
前記第一表示制御工程において、
前記取得工程において取得された前記領域人数カウントの人数カウント結果に基づき、前記所定の領域に存在する平均の人数、最大人数、最小人数、またはそれらの組み合わせの人数を前記時間帯ごとにグラフ化して前記表示手段に表示させることを特徴とする請求項８に記載の情報処理方法。
【請求項１０】
前記第二表示制御工程において、
前記取得工程において取得された前記通過人数カウントの人数カウント結果に基づき、前記所定のラインを所定の方向および当該所定の方向と逆方向に通過する時間帯ごとの人数をグラフ化して前記表示手段に表示させることを特徴とする請求項８または９に記載の情報処理方法。
【請求項１１】
前記第三表示制御工程において、
前記領域人数カウントによる時間帯ごとの複数の人数カウント結果から１つの人数カウント結果がユーザにより選択されたことに応じて、前記選択された人数カウント結果に対応する時間帯において撮像された前記静止画からカウントされた人数を示す情報と、当該静止画から検知された人物の位置を示す情報とを、重畳した前記静止画を前記表示手段に表示させることを特徴とする請求項８乃至１０のいずれか１項に記載の情報処理方法。
【請求項１２】
前記第四表示制御工程において、
前記通過人数カウントによる時間帯ごとの複数の人数カウント結果から１つの人数カウント結果がユーザにより選択されたことに応じて、前記選択された人数カウント結果に対応する時間帯において撮像された前記動画から前記通過人数カウントによりカウントされた人数を示す情報と、前記動画から検知された人物の位置を示す情報と、前記所定のラインを示す情報とを、重畳した前記動画を前記表示手段に表示させることを特徴とする請求項８乃至１１のいずれか１項に記載の情報処理方法。
【請求項１３】
前記第三表示制御工程において、
前記領域人数カウントによる時間帯ごとの複数の人数カウント結果から選択された人数カウント結果に対応する時間帯に前記撮像手段によって撮像された複数の静止画のうち１つの静止画を前記表示手段に表示させることを特徴とする請求項８乃至１２のいずれか１項に記載の情報処理方法。
【請求項１４】
前記第三表示制御工程において、
前記領域人数カウントによる時間帯ごとの複数の人数カウント結果から選択された人数カウント結果に対応する時間帯に前記撮像手段によって撮像された複数の静止画のうち最も早く撮像された静止画を前記表示手段に表示させることを特徴とする請求項１３に記載の情報処理方法。
【請求項１５】
コンピュータを、請求項１から７のいずれか１項に記載の情報処理装置として機能させるためのプログラム。
【手続補正２】
【補正対象書類名】明細書
【補正対象項目名】発明の名称
【補正方法】変更
【補正の内容】
【発明の名称】情報処理装置、情報処理方法およびプログラム
【手続補正３】
【補正対象書類名】明細書
【補正対象項目名】０００１
【補正方法】変更
【補正の内容】
【０００１】
本発明は、情報処理装置、情報処理方法およびプログラムに関する。
【手続補正４】
【補正対象書類名】明細書
【補正対象項目名】０００７
【補正方法】変更
【補正の内容】
【０００７】
上記目的を達成するための一手段として、本発明の人数管理装置は以下の構成を有する。すなわち、撮像手段により撮像された画像の所定の領域に存在する人数をカウントする領域人数カウントの人数カウント結果と、前記撮像手段により撮像された画像に設定された所定のラインを通過する人数をカウントする通過人数カウントの人数カウント結果とを取得する取得手段と、前記取得手段により取得された前記領域人数カウントの人数カウント結果に基づき、前記領域人数カウントによる時間帯ごとの複数の人数カウント結果を表示手段に表示させ、前記取得手段により取得された前記通過人数カウントの人数カウント結果に基づき、前記通過人数カウントによる時間帯ごとの複数の人数カウント結果を前記表示手段に表示させる表示制御手段と、を有し、前記表示制御手段は、前記領域人数カウントによる時間帯ごとの複数の人数カウント結果から選択された人数カウント結果に対応する時間帯に前記撮像手段によって撮像された静止画を前記表示手段に表示させ、前記通過人数カウントによる時間帯ごとの複数の人数カウント結果から選択された人数カウント結果に対応する時間帯に前記撮像手段によって撮像された動画を前記表示手段に再生させる。